(57)【要約】  本発明は洗濯機を開示している。本発明の洗濯機は、筐体、筐体内に回転可能に設けられる洗濯槽、及び筐体内に設けられ、洗濯槽から排出される水を収集する受水装置を含む。さらに排水通路を含み、洗濯槽周壁の下部位置に第１排水口が設けられる。排水通路は洗濯槽の外周壁に設けられ、第１排水口と通じ、洗濯槽から排出された水を洗濯槽の下方に誘導する。前記排水通路の上部に入水口が設けられ、下部に出水口が設けられる。排水通路は洗濯槽周壁の第１排水口を密閉して覆い、入水口は第１排水口と通じる。受水装置は集水空洞及び少なくとも１つの第２排水口を含み、排水通路の下向きに排水する出水口は集水空洞内に位置する。本発明は洗濯槽外周壁の下部に排水通路を取り付け、第１排水口の出水を下に誘導する。受水装置を上に延伸することを避け、容量拡大効果を実現することができるだけでなく、排水を受水装置の集水空洞内に誘導して、排水速度を高め、水の飛散を防止する効果を有することもできる。【選択図】図１
2021515636.tif 000002
【特許請求の範囲】
【請求項１】
筐体、及び筐体内に回転可能に設けられる洗濯槽を含む洗濯機であって、さらに排水通路を含み、洗濯槽周壁の下部位置に第１排水口が設けられ、排水通路は洗濯槽の外周壁に設けられ、第１排水口と通じ、洗濯槽から排出された水を洗濯槽の下方に誘導することを特徴とする洗濯機。
【請求項２】
前記排水通路の上部に入水口が設けられ、下部に出水口が設けられ、排水通路は洗濯槽周壁の第１排水口を密閉して覆い、入水口は第１排水口と通じることを特徴とする、請求項１に記載の洗濯機。
【請求項３】
前記排水通路が独立した構造であり、ケース、ケースの一端に設けられる入水口、及びケースのもう一端に設けられる出水口を含み、入水口は第１排水口と通じ、ケース内に入水口から出水口までの排水チャンバを有することを特徴とする、請求項１又は２に記載の洗濯機。
【請求項４】
前記入水口がケースの洗濯槽外周壁と隣接する側の側壁に設けられ、洗濯槽の第１排水口を密閉して覆うことを特徴とする、請求項３に記載の洗濯機。
【請求項５】
前記出水口が洗濯槽外周壁から離れたケースの側壁に設けられること、又は、出水口の出水方向は下向きに設置されることを特徴とする、請求項３又は４に記載の洗濯機。
【請求項６】
前記排水通路及び洗濯槽の外壁を組み合わせて排水チャンバを形成し、排水通路は洗濯槽の外周壁に覆設されるカバーを含み、洗濯槽外周壁と組み合わせて下に排水するチャンバを形成し、第１排水口はチャンバの入水口を構成し、チャンバの下部に出水口を有することを特徴とする、請求項１又は２に記載の洗濯機。
【請求項７】
前記出水口がカバーに設けられること、又は、カバー及び洗濯槽外周壁の間にある下向きの開口が出水口を構成することを特徴とする、請求項６に記載の洗濯機。
【請求項８】
前記第１排水口が少なくとも１つであり、前記排水通路が少なくとも１つであり、各排水通路が少なくとも１つの第１排水口と対応し；
好ましくは、前記第１排水口が少なくとも２つであり、洗濯槽の周方向に沿って間隔を開けて設置され、前記排水通路が少なくとも２つであり、洗濯槽の周方向に沿って間隔を開けて設置されることを特徴とする、請求項１〜７のいずれか１項に記載の洗濯機。
【請求項９】
筐体内に設けられ、洗濯槽から排出される水を収集する受水装置も含み、受水装置は集水空洞及び少なくとも１つの第２排水口を含み、排水通路の下向きに排水する出水口は集水空洞内に位置し、好ましくは、集水空洞を構成する周壁の上縁は出水口がある位置の高さより高く、より好ましくは、集水空洞の周壁の上縁は第１排水口がある位置の高さ以下であることを特徴とする、請求項１〜８のいずれか１項に記載の洗濯機。
【請求項１０】
前記集水空洞内に凹んだ環状溝が設けられ、環状溝は集水空洞の底壁より低い高さまで下に延伸し、排水通路の出水口は環状溝内に設けられることを特徴とする、請求項９に記載の洗濯機。
【請求項１１】
前記環状溝の深さが周方向に沿って高部から低部まで変化し、少なくとも１つの第２排水口は環状溝の最低部分に設けられ；
好ましくは、環状溝の深さは、洗濯槽の脱水時の回転方向と同じ方向に沿って、高部から低部まで変化することを特徴とする、請求項１０に記載の洗濯機。
【請求項１２】
前記洗濯槽の周壁における第１排水口より高い部分が密閉構造であり、洗濯槽内部は周壁下部の第１排水口を介して外部と通じることを特徴とする、請求項１〜１１のいずれか１項に記載の洗濯機。
【請求項１３】
前記洗濯槽の内周壁に上から下に水を誘導して排出する導水通路が設けられ、導水通路の下部に前記第１排水口が覆設され、上部に取水口が設けられ、取水口及び第１排水口と通じる導水チャンバが画定され、導水チャンバは取水口を介して洗濯槽内部と通じることを特徴とする、請求項１〜１２のいずれか１項に記載の洗濯機。
【請求項１４】
前記導水通路、第１排水口、排水通路が順番に通じて、洗濯槽の内から外に脱排水する通路を構成することを特徴とする、請求項１３に記載の洗濯機。
【請求項１５】
前記導水通路が独立した構造であり、導水通路内に導水チャンバが設けられること、又は、導水通路及び洗濯槽の内周壁を組み合わせて導水チャンバが形成されることを特徴とする、請求項１３に記載の洗濯機。
【請求項１６】
前記取水口が導水通路の径方向の側壁に設けられ、好ましくは、洗濯槽の脱水回転方向と一致する径方向の側壁に設けられ、取水口の開口方向は洗濯槽の脱水回転方向と一致することを特徴とする、請求項１３に記載の洗濯機。
【請求項１７】
前記洗濯槽上端にバランスリングが設けられ、洗濯槽の脱水回転方向と一致する導水通路の径方向の側壁及びバランスリングの間に間隙を有して、前記取水口を構成し、反対方向の径方向の側壁がバランスリングの下表面まで延伸し、好ましくはバランスリングの下表面は密閉されることを特徴とする、請求項１３に記載の洗濯機。
【発明の詳細な説明】
【技術分野】
【０００１】
本発明は洗濯設備の技術分野に属し、具体的に洗濯機に関する。
【背景技術】
【０００２】
従来の全自動パルセータ式洗濯機は、一般的に内槽、外槽、制振部材及び動力システムを含む。洗浄及び脱水時、内槽は外槽に相対して回転し、衣類及び洗濯水を作用させ、衣類を洗浄又は脱水する目的を達成する。外槽は内槽の外部に取り付けられ、内槽を支持し、外槽は水受け槽として用いられる。内槽の側壁に排水孔が均等に分布し、内外槽が通じる。洗浄の過程で、衣類は内槽中にあり、２槽の水位は同じ高さであるが、外槽は衣類と接触しない。既存の洗濯機の外槽は内槽に対して体積がより大きく、内外槽間の洗濯水量は比較的多くなり、２槽の間の洗濯液は充分に利用することができない。洗浄の水使用量が増加するだけでなく、洗濯時の洗濯液の濃度も低下し、さらに洗濯機全体の体積も大きくなる。他に、一定期間使用すると、外槽内壁及び内槽外壁に汚れが付着することがあり、カビが生えることさえあり、さらには洗浄する衣類を汚染する。さらに槽壁の掃除は難しい。
【０００３】
この状況に対して、いくつかのメーカは改良を行っており、水資源を節約するため、孔無し内槽の方式を採用した洗濯機が次第に多くなっている。内外槽を分離させ、内槽のみに水を貯め、外槽には貯めず、内槽側壁の上端近くに排水孔を有する。このようにして、洗濯機の脱水時に、水は遠心力の作用により内槽の内壁に達し、内槽の内壁に沿って上に移動し、内槽上端の排水孔から排出される。このように洗濯機の節水効果が増し、洗剤の使用量を節約した。
【０００４】
しかし、上記案には以下の問題が存在する。洗濯機の脱水時、高速で回転するため、衣類中の水は内槽側壁の排水孔を通過して放出され、直接外槽側壁に打ち付けられ、四方に容易に飛散する。外槽内壁に長期的に水を有するため、やはり容易に細菌が繁殖し、環境保護に不利である。
【０００５】
加えて、洗濯機の洗濯容量を増加させるために、より大きな内槽が必要であり、すなわち内槽の高さ又は直径を増やす必要がある。内槽がより大きなサイズである場合、内槽を収容する外槽及び筐体も内槽の増大に伴って増大させる必要がある。
【０００６】
洗濯機筐体の大型化は、洗濯機を取り付ける領域の空間によって制限される。一般的なユーザの家の洗濯機を置くスペースには限りがあるため、洗濯機筐体を大型化して洗濯槽の容量を増加させる目的を達成するのは現実的ではない。洗濯機の筐体を大型化しないことを前提に、どのようにして内槽の容量を増加させるかは、設計者を悩ませる大きな難題となっている。
【０００７】
中国特許出願番号第９９２３０４５５．５号明細書は、単槽式の節水型洗濯機を開示している。洗濯槽の槽口部分に集水装置が設けられ、集水装置の集水口は洗濯槽に沿ってその槽口部分を囲んで覆う。集水装置における槽口部分に位置する集水空洞はいくつかの排水管とつながり、排水管は洗濯槽の外壁に沿って上から下に対称に配置される。脱水時、集水装置は高速回転による遠心水流を収集し、これを下に誘導して排出する。当該構造は外槽を省いており、洗濯機の脱水時、洗濯水はまず集水装置に進入する。集水装置は環状構造であり、内部に充填された洗濯水の下への排水速度は異なるため、洗濯槽の高速回転の平衡が失われる。他に、洗濯水が集水装置に進入すると、洗濯槽下部に誘導され、中心に集まって排出されるため、排水が不利である。遠心力の作用下で集水空洞内に集めて排出するのは難しく、洗濯水が洗濯槽の上端に集まり、洗濯槽上部の重量が増大し、さらに平衡が失われる。特に洗濯槽に残っている水が比較的多いとき、大部分の洗濯水が集水空洞内に集中して排出されず、洗濯槽及び外槽の全体の重心が高くなり、極めて大きな振動による騒音が生じ、脱水モータの使用荷重も増加し、モータが壊れやすい。最後に、集水装置は洗濯槽上部に設置されるため、洗濯槽が脱水回転するとき、上部の偏心による径方向の移動は最も大きい。集水装置が洗濯機筐体に衝突するのを避けるため、集水装置及び筐体の間に安全な距離を有さなければならず、容量を拡大する目的を確実に達成することができない。
【０００８】
このことを考慮して、特に本発明を示す。
【先行技術文献】
【特許文献】
【０００９】
【特許文献１】中国特許出願番号第９９２３０４５５．５号明細書
【発明の概要】
【発明が解決しようとする課題】
【００１０】
本発明が解決しようとする技術的問題は、既存技術の不足を克服することにあり、脱水効率及び排水速度を高めることができ、排水時に水が飛散及び溢出するのを防止した洗濯機を提供する。
【課題を解決するための手段】
【００１１】
上記技術的問題を解決するため、本発明が採用する技術案の基本的構想は次の通りである。洗濯機は、筐体、及び筐体内に回転可能に設けられる洗濯槽を含む。さらに排水通路を含み、洗濯槽周壁の下部位置に第１排水口が設けられる。排水通路は洗濯槽の外周壁に設けられ、第１排水口と通じ、洗濯槽から排出された水を洗濯槽の下方に誘導する。
【００１２】
さらに、前記排水通路の上部に入水口が設けられ、下部に出水口が設けられる。排水通路は洗濯槽周壁の第１排水口を密閉して覆い、入水口は第１排水口と通じる。
【００１３】
さらなる案として、前記排水通路は独立した構造であり、ケース、ケースの一端に設けられる入水口、及びケースのもう一端に設けられる出水口を含む。入水口は第１排水口と通じ、ケース内に入水口から出水口までの排水チャンバを有する。
【００１４】
好ましくは、前記入水口はケースの洗濯槽外周壁と隣接する側の側壁に設けられ、洗濯槽の第１排水口を密閉して覆う。
【００１５】
さらに好ましくは、前記出水口は洗濯槽外周壁から離れたケースの側壁に設けられる。又は、出水口の出水方向は下向きに設置される。
【００１６】
或いは、上記の代替案として、前記排水通路及び洗濯槽の外壁を組み合わせて排水チャンバを形成する。排水通路は洗濯槽外周壁に覆設されるカバーを含み、洗濯槽外周壁と組み合わせて下に排水するチャンバを形成する。第１排水口はチャンバの入水口を構成し、チャンバの下部に出水口を有する。
【００１７】
さらに、前記出水口はカバーに設けられる。又は、カバー及び洗濯槽外周壁の間にある下向きの開口が出水口を構成する。
【００１８】
さらに、前記第１排水口は少なくとも１つであり、前記排水通路は少なくとも１つである。各排水通路は、少なくとも１つの第１排水口と対応する。
【００１９】
好ましくは、前記第１排水口は少なくとも２つであり、洗濯槽の周方向に沿って間隔を開けて設置され、前記排水通路は少なくとも２つであり、洗濯槽の周方向に沿って間隔を開けて設置される。
【００２０】
さらに、筐体内に設けられ、洗濯槽から排出される水を収集する受水装置も含む。受水装置は集水空洞及び少なくとも１つの第２排水口を含み、排水通路の下向きに排水する出水口は集水空洞内に位置する。
【００２１】
好ましくは、集水空洞を構成する周壁の上縁は、出水口がある位置の高さより高い。
【００２２】
より好ましくは、集水空洞の周壁の上縁は、第１排水口がある位置の高さ以下である。
【００２３】
さらに、前記集水空洞内に凹んだ環状溝が設けられ、環状溝は集水空洞の底壁より低い高さまで下に延伸する。排水通路の出水口は環状溝内に設けられる。
【００２４】
さらに、前記環状溝の深さは周方向に沿って高部から低部まで変化し、少なくとも１つの第２排水口は環状溝の最低部分に設けられる。
【００２５】
好ましくは、環状溝の深さは、洗濯槽の脱水時の回転方向と同じ方向に沿って、高部から低部まで変化する。
【００２６】
さらに、前記洗濯槽周壁における第１排水口より高い部分は密閉構造であり、洗濯槽内部は周壁下部の第１排水口を介して外部と通じる。
【００２７】
さらに、前記洗濯槽の内周壁に上から下に水を誘導して排出する導水通路がさらに設けられる。導水通路の下部に前記第１排水口が覆設され、上部に取水口が設けられ、取水口及び第１排水口と通じる導水チャンバが画定され、導水チャンバは取水口を介して洗濯槽内部と通じる。
【００２８】
さらに、前記導水通路、第１排水口、排水通路が順番に通じて、洗濯槽の内から外に脱排水する通路を構成する。
【００２９】
さらに、前記第１排水口は少なくとも１つであり、前記導水通路は少なくとも１つであり、各導水通路の下部に少なくとも１つの対応する第１排水口が覆設される。
【００３０】
好ましくは、前記第１排水口は少なくとも２つであり、洗濯槽の周方向に沿って間隔を開けて設置され、前記導水通路は少なくとも２つであり、洗濯槽の周方向に沿って間隔を開けて設置される。
【００３１】
さらに、前記導水通路は独立した構造であり、導水通路内に導水チャンバが設けられる。又は、導水通路及び洗濯槽の内周壁を組み合わせて導水チャンバが形成される。
【００３２】
さらに、前記取水口は導水通路の径方向の側壁に設けられ、好ましくは、洗濯槽の脱水回転方向と一致する径方向の側壁に設けられる。取水口の開口方向は、洗濯槽の脱水回転方向と一致する。
【００３３】
さらに、前記洗濯槽上端にバランスリングが設けられる。洗濯槽の脱水回転方向と一致する導水通路の径方向の側壁及びバランスリングの間に隙間を有し、前記取水口を構成する。反対方向の径方向の側壁はバランスリングの下表面まで延伸し、好ましくはバランスリングの下表面は密閉される。
【発明の効果】
【００３４】
上記技術案を採用すると、本発明は既存技術と比較して以下の有益な効果を有する。
本発明の洗濯機の洗濯槽は、洗濯過程で水を入れることができる。従って、洗濯槽は「孔無し内槽」の構造を採用し、同時に外槽の設計を撤廃し、受水装置を採用して外槽の受水排水を代替する。これにより本発明は以下の技術的効果を有する。
１、洗濯機筐体の容積が変わらない状況で、洗濯槽の容量を増加させることができ、洗濯機の容量を拡大する効果を実現する。
２、洗濯過程で水は洗濯槽内のみに存在する。従来の洗濯機の内外槽間に水が存在し、外槽内壁及び洗濯槽外壁に「隠れた汚れがある」問題を回避し、より良好な洗濯効果を有する。
３、外槽を撤廃し、洗濯槽が水受け槽であり、洗濯過程で内外槽間に水は存在せず、洗濯の水使用量を減少させ、洗濯の水使用量を節約した。
４、洗濯槽内部の上から下への導水通路を利用し、洗濯槽周壁の下部位置の第１排水口から排水する。既存技術で洗濯槽外周壁上部に取り付けた導水構造が、洗濯槽及び筐体間の空間を占用するのを防止することができ、確実に容量を拡大する効果を達成する。
５、導水通路の取水口は洗濯槽の脱水回転方向と一致する径方向の側壁に設置され、反対方向の径方向の側壁は密閉される。脱水時、洗濯水はより容易に洗濯槽の周方向に沿って導水通路に進入するため、排水速度が上昇する。
６、洗濯槽外周壁の下部に排水通路を取り付け、第１排水口の出水を下に誘導する。受水装置を上に延伸することを避け、容量拡大効果を実現することができるだけでなく、排水を受水装置の集水空洞内に誘導して、排水速度を上昇させ、水の飛散を防止する効果を達成することもできる。
７、受水装置の集水空洞の底壁に、水流を排水口まで誘導する環状溝構造を設置して、より良好に導水、排水する。さらに排水通路の出水、水の飛散を確実に保証すると同時に、より良好に集水、排水を実現し、貯まった水が溢れるのを防止する。
【００３５】
以下、図を組み合わせて、本発明を実施するための形態についてさらに詳細に記載する。
【００３６】
図は本発明の一部であり、本発明をさらに理解するために提供される。本発明の概略的実施例及びその説明は、本発明を説明するために用いられるが、本発明を不当に限定しない。以下の記載における図はいくつかの実施例に過ぎず、当業者が、創造的労働を行わずに、これらの図に基づいてその他の図を得ることもできることは明らかである。
【００３７】
説明する必要があることとして、これらの図及び記載はどのような形態でも本発明の構想範囲を制限することを意図せず、特定の実施例を参考にすることにより、当業者に本発明の概念を説明するものである。
【図面の簡単な説明】
【００３８】
【図１】図１は、本発明の洗濯機の構造概要図である。
【図２】図２は、本発明の洗濯機における洗濯槽の一実施形態の概要図である。
【図３】図３は、本発明の洗濯機における洗濯槽の別の実施形態の概要図である。
【図４】図４は、本発明における排水通路の一実施形態の構造概要図である。
【図５】図５は、本発明における受水装置の一実施形態の構造概要図である。
【図６】図６は、本発明における受水装置の一実施形態の断面図である。
【図７】図７は、本発明の洗濯槽における導水通路を取り付けた一実施形態の概要図である。
【図８】図８は、本発明における導水通路の一実施形態の構造概要図である。
【図９】図９は、本発明の洗濯機における受水装置の一実施形態の断面図である。
【図１０】図１０は、本発明における強化構造の一実施形態の立体構造概要図である。
【図１１】図１１は、本発明の洗濯機における受水装置の別の実施形態の断面図である。
【図１２】図１２は、本発明における強化構造の別の実施形態の立体構造概要図である。
【図１３】図１３は、本発明の洗濯機における受水装置の別の実施形態の分解図である。
【図１４】図１４は、本発明の洗濯機における受水装置の別の実施形態の分解図である。
【図１５】図１５は、本発明の洗濯機における受水装置の別の実施形態の断面図である。
【発明を実施するための形態】
【００３９】
本発明の実施例の目的、技術案及び利点をより明確にするため、以下、本発明の実施例中の図を組み合わせて、実施例中の技術案について、明確、完全に記載する。以下の実施例は本発明を説明するが、本発明の範囲を制限するものではない。
【００４０】
本発明の記載において、説明する必要があることは、「上」、「下」、「前」、「後」、「左」、「右」、「垂直」、「内」、「外」などの用語が指示する方位又は位置関係は、図に示す方位又は位置関係に基づくことである。これは本発明の記載を便利にし、記載を簡略化するために過ぎず、示す装置又は要素が特定の方位を有し、構造及び操作が特定の方位を有さなければならないと指示又は示唆するのではない。従って、本発明に対する制限と理解することはできない。
【００４１】
実施例１
図１から図４に示すように、本実施例の洗濯機は筐体１００、及び筐体内に回転可能に設けられる洗濯槽２００を含む。さらに排水通路３００を含み、洗濯槽２００周壁の下部位置に第１排水口２０１が設けられる。排水通路３００は洗濯槽２００の外周壁に設けられ、第１排水口２０１と通じ、洗濯槽２００から排出される水を洗濯槽の下方に誘導する。
【００４２】
本実施例の前記排水通路３００の上部に入水口３０１が設けられ、下部に出水口３０２が設けられる。排水通路３００は洗濯槽周壁の第１排水口２０１を密閉して覆い、入水口３０１は第１排水口２０１と通じる。
【００４３】
好ましくは、前記第１排水口２０１は少なくとも１つであり、前記排水通路３００は少なくとも１つである。各排水通路３００は、少なくとも１つの第１排水口２０１と対応する。
【００４４】
さらに、前記第１排水口２０１は少なくとも２つであり、洗濯槽２００の周方向に沿って間隔を開けて設置され、前記排水通路３００は少なくとも２つであり、洗濯槽２００の周方向に沿って間隔を開けて設置される。
【００４５】
実施例２
図４に示すように、本実施例の前記排水通路３００は独立した構造であり、ケース３０３、ケース３０３の一端に設けられる入水口３０１、及びケースのもう一端に設けられる出水口３０２を含む。入水口３０１は第１排水口２０１と通じ、ケース３０３内に入水口３０１から出水口３０２までの排水チャンバ３０４を有する（図２、３を参照）。
【００４６】
好ましくは、前記入水口３０１はケース３０３の洗濯槽２００外周壁と隣接する側の側壁３０３１に設けられ、洗濯槽の第１排水口２０１を密閉して覆う。
【００４７】
さらに好ましくは、前記出水口は洗濯槽外周壁から離れたケースの側壁に設けられる（図示せず）。又は、出水口３０２の出水方向は下向きに設置される（図２、３を参照）。
【００４８】
実施例３
本実施例及び上記実施例の違いは、図２及び図３に示すように、前記排水通路３００及び洗濯槽２００の外壁を組み合わせて排水チャンバ３０４を形成することである。排水通路３００は、洗濯槽２００外周壁に覆設されるカバー３０５を含み、洗濯槽２００外周壁と組み合わせて下に排水するチャンバ３０４を形成する。第１排水口２０１はチャンバの入水口３０１を構成し、チャンバ３０４の下部に出水口３０２を有する。
【００４９】
さらに、前記出水口はカバーに設けられる。又は、カバー及び洗濯槽外周壁の間にある下向きの開口が出水口を構成する（図示せず）。
【００５０】
実施例４
図１及び図５に示すように、本実施例の洗濯機は、洗濯過程で水を入れることができる洗濯槽２００、及び洗濯槽２００から放出された水を収集する受水装置５００を含む。前記受水装置５００は集水空洞５０１、及び集水空洞５０１と通じる第２排水口５０２を含み、排水通路３００における下向きに排水する出水口３０２は集水空洞５０１内に位置する。
【００５１】
好ましくは、集水空洞を構成する周壁５０３の上縁は、排水通路３００の出水口３０２がある位置の高さより高い。
【００５２】
より好ましくは、集水空洞の周壁５０３の上縁は、第１排水口２０１がある位置の高さ以下である。
【００５３】
本実施例の洗濯槽周壁における第１排水口２０１より高い部分は密閉構造であり、洗濯槽２００内部は周壁下部の第１排水口２０１を介して外部と通じる。つまり、洗濯槽周壁における第１排水口２０１以外のその他の領域は密閉構造である。
【００５４】
洗濯槽２００は洗濯機の水受け槽とし、洗濯槽２００外部に外槽を設置せず、洗濯槽２００の底部のみに受水装置５００を設置する。このようにして、洗濯槽の洗濯水を受水装置５００に放出した後、第２排水口５０２から排水する。従って受水装置５００の集水空洞５０１は受水、集水の機能を有する。受水装置５００の高さは洗濯槽２００の高さより低く、洗濯槽２００の底部は集水空洞５０１内に位置する。少なくとも洗濯槽の上部分は集水空洞５０１の上部開口の外部に延出する。
【００５５】
実施例５
本実施例の洗濯機の洗濯槽２００は「孔無し内槽」であり、洗濯過程において洗濯槽２００が水受け槽である。洗濯槽２００の槽壁下部に第１排水口２０１が設置され、脱水機能を実現し、同時に、洗濯槽２００の槽壁に排水通路が設置される。洗濯機の脱水過程の水を排水通路を経て受水装置５００の集水空洞５０１内に誘導し、収集して排出し、脱水の水流が洗濯機の筐体内に飛散するのを防止する。
【００５６】
本実施例の前記集水空洞５０１の底壁に、水流を第２排水口５０２に誘導する導水構造が設置され、水流の速やかな排出を確実に保証することができ、受水装置５００に貯まった水が過度に多く、過度に速いために溢れるのを防止する。前記集水空洞５０１のすべての底壁又は一部の底壁は高部から低部まで移行して、前記導水構造を形成し、前記第２排水口５０２は集水空洞５０１の底壁における最高水位以下の部分に設置される。このようにして、排水は集水空洞５０１の導水構造に沿って、より良好に第２排水口５０２部分に放出されて排出される。
【００５７】
実施例６
本実施例の前記集水空洞５０１の底壁に、凹んだ環状溝５０４が設置され、環状溝５０４は集水空洞５０１の底壁より低い高さまで下に延伸する。前記環状溝５０４における垂直方向の深さは高部から低部まで移行し、前記導水構造を形成する。前記第２排水口５０２は環状溝５０４内に設置され、最低位置部分に位置し、排水通路３００の出水口３０２は環状溝内に設けられる。本実施例は集水空洞５０１内に凹んだ環状溝５０４が設置され、一方では水を収集する容積を増大させることができ、もう一方では水の飛散を防止することができる。集水空洞５０１内の環状溝の水位は最低であるため、第２排水口５０２を環状溝内に設置すると、排水がより有利である。
【００５８】
具体的に、本実施例に記載する環状溝５０４は、集水空洞５０１の底壁の周方向に沿って取り囲んで設置される。前記環状溝５０４の垂直方向の深さは、時計回り又は反時計回り方向に高部から低部に移行し、前記導水構造を形成する。
【００５９】
好ましくは、前記環状溝５０４の深さは、洗濯槽２００の脱水時の回転方向と同じ方向に沿って、高部から低部に変化する。
【００６０】
本実施例の１つの好ましい実施形態として、前記環状溝５０４の溝底部は、高部から低部まで螺旋状構造又は段状構造を呈し、前記第２排水口５０２は環状溝内に設置され、螺旋状構造又は段状構造の最低水位部分に位置する。このようにして、排水を完全に行うことができ、集水空洞５０１内に水が残るのを防止する。
【００６１】
実施例７
本実施例の受水装置５００は洗濯槽２００の下方に位置し、洗濯槽と同軸で設置され、前記排水通路３００は上から下に受水装置５００の環状溝５０４内まで延伸する部分構造を含む。前記環状溝５０４の垂直方向の深さは、洗濯槽の脱水時の回転方向に沿って次第に増大する。本実施例は排水通路３００を受水装置５００の環状溝５０４内に延伸させ、脱水過程の水を環状溝５０４内に収集して排出することができる。さらに環状溝５０４の深さは集水空洞５０１より深く、脱水、排水の飛散を防止することができる。
【００６２】
本実施例の受水装置５００は、内部に空洞を有する鉢状構造である。前記受水装置５００は吊り棒７００により洗濯機の筐体１００内に吊着され、受水装置５００の外周壁に吊り棒７００を取り付ける吊り棒取付座５０５が設置される。好ましくは、前記吊り棒取付座は４つ含まれ、周方向に沿って均等に分布する。
【００６３】
本実施例の受水装置５００の底壁に駆動装置６００が取り付けられ、駆動装置は洗濯槽２００及びパルセータ８００を回転させる洗濯槽軸及びパルセータ軸を有する。
【００６４】
実施例８
図１及び図３に示すように、本発明の洗濯機における前記洗濯槽２００の内周壁に、上から下に水を誘導して排出する導水通路４００がさらに設けられる。導水通路４００の下部に前記第１排水口２０１が覆設され、上部に取水口４０１が設けられ、取水口４０１及び第１排水口２０１と通じる導水チャンバ４０２が画定され、導水チャンバ４０２は取水口４０１を介して洗濯槽２００内部と通じる。
【００６５】
さらに、前記導水通路４００、第１排水口２０１、排水通路３００が順番に通じて、洗濯槽２００の内から外に脱排水する通路を構成する。
【００６６】
本実施例の前記第１排水口２０１は少なくとも１つであり、前記導水通路４００は少なくとも１つであり、各導水通路４００の下部に少なくとも１つの対応する第１排水口２０１が覆設される。
【００６７】
好ましくは、前記第１排水口２０１は少なくとも２つであり、洗濯槽２００の周方向に沿って間隔を開けて設置され、前記導水通路４００は少なくとも２つであり、洗濯槽２００の周方向に沿って間隔を開けて設置される。
【００６８】
さらに、前記導水通路４００は独立した構造であり、導水通路４００内に導水チャンバが設けられる。又は、導水通路４００及び洗濯槽２００の内周壁を組み合わせて導水チャンバが形成され（図７及び図８を参照）、当該導水通路及び洗濯槽の取付構造は、排水通路の設計を参考にすることができる。
【００６９】
図７及び図８に示すように、前記取水口４０１は導水通路４００の径方向の側壁４０３に設けられ、好ましくは、洗濯槽２００の脱水回転方向と一致する径方向の側壁に設けられる。取水口４０１の開口方向は洗濯槽の脱水回転方向と一致する。
【００７０】
好ましくは、本実施例の洗濯槽２００の開口にバランスリング９００が設置される。洗濯槽２００の脱水回転方向と一致する導水通路４００の径方向の側壁４０３及びバランスリング９００の間に間隙を有して、前記取水口４０１を構成する（図７を参照）。反対方向の径方向の側壁４０４はバランスリング９００の下表面まで延伸し、好ましくはバランスリング９００の下表面は密閉される。
【００７１】
実施例９
図１、図９から図１５に示すように、本実施例の洗濯機の洗濯槽２００を水受け槽とし、洗濯槽２００外部に外槽を設置しない。本実施例は洗濯槽２００の底部のみに受水装置５００を設置し、このようにして、洗濯槽の洗濯水を受水装置５００に放出した後に排出する。従って受水装置５００は集水空洞５０１を有して、一時的に水を貯める機能を実現する。本実施例の洗濯機は外槽を有さず、洗濯槽２００の底部は受水装置５００の集水空洞内に設置される。従って、洗濯槽２００は、洗濯槽の脱水時に受水装置との間で衝突が生じるのを防止するために、受水装置の集水空洞との間を保持する必要がある。本実施例は集水空洞５０１の周壁５０３にその強度を増加させる補強構造を設置することにより、受水装置全体の強度を増加させる。受水装置が変形して内外槽間の距離が小さくなり、「槽にぶつかる」さらには「槽にこすれる」などの現象が生じるのを防止し、洗濯槽の洗濯、脱水状況の安定性を保証している。
【００７２】
図９及び図１１に示すように、本実施例に記載する補強構造は、集水空洞の側壁内に埋め込み射出成形された補強材である。本実施例は、補強材を集水空洞の側壁内に射出成形することにより、集水空洞側壁の強度を高める目的を実現する。
【００７３】
図９及び図１０に示すように、本実施例の一実施形態として、前記補強材は集水空洞５０１の側壁と適合するシート状補強円環１００１であり、前記シート状補強円環１００１は集水空洞５０１の側壁内に垂直に埋め込み射出成形される。このようにして、集水空洞５０１の側壁は垂直方向全体で埋め込んだシート状補強円環１００１の補強作用により、全体強度がより高い。
【００７４】
又は、図１１及び図１２に示すように、前記補強材は集水空洞５０１の側壁と適合するワイヤ状補強円環１００２である。前記受水装置は集水空洞の開口を含み、前記ワイヤ状補強円環１００２は集水空洞５０１の側壁内に埋め込み射出成形され、集水空洞の開口の近くに設置される。ワイヤ状補強円環１００２は周方向全体で集水空洞５０１の側壁を貫通し、これにより周方向全体の強度を増強させる。集水空洞の開口の近くに設置されて、集水空洞開口部分の強度を保証することができ、変形しにくい。
【００７５】
図１３、図１４に示すように、本実施例の一実施形態として、前記補強構造は集水空洞の側壁内部に固定される補強材であり、前記補強材の外径は前記集水空洞の側壁内径よりやや小さい。
又は、前記補強構造は集水空洞の側壁外部に固定される補強材であり、前記補強材の内径は前記集水空洞の側壁外径よりやや大きい。
【００７６】
図１３に示すように、前記補強材は集水空洞の側壁と適合するシート状補強円環１００３である。前記シート状補強円環１００３は、クランプ装置１１００により集水空洞５０１の周壁５０３内部又は外部に固定される。
【００７７】
本実施例に記載するクランプ装置１１００はスロット１１０１を含み、クランプ装置１１００はスロットによりシート状補強円環１００３を集水空洞５０１の周壁５０３内部又は外部に固定する。
【００７８】
さらに、本実施例に記載するシート状補強円環１００３上端の開口はフランジ構造１００３１を有し、これによりシート状補強円環１００３の全体強度をさらに増強する。
【００７９】
又は、図１４に示すように、前記補強材は集水空洞の側壁と適合するワイヤ状補強円環１００４であり、ワイヤ状補強円環１００４は固定ナット１００４１で接続されて閉じた円環を呈する。前記受水装置５００は集水空洞の開口を含み、前記ワイヤ状補強円環１００４は固定ナット１００４１を調節することにより、前記ワイヤ状補強円環１００４を集水空洞５０１の周壁５０３内部又は外部に固定し、集水空洞５０１の開口の近くに設置される。
【００８０】
さらに又は、図１５に示すように、前記受水装置５００は集水空洞の開口を含む。前記補強構造は、集水空洞の開口辺縁が外側又は内側に折れ返ったフランジ構造１００５である。
【００８１】
以上の記載は本発明の好ましい実施例に過ぎず、本発明をいかなる形式でも制限しない。本発明は好ましい実施例により上記のように開示したが、これらは本発明を限定するものではない。当業者は本発明の技術案を逸脱しない範囲内で、上記に示した技術内容を利用して、均等変化した同等の実施例に変更または修飾することができる。しかし、いずれも本発明の技術案の内容を逸脱しない。本発明の技術的本質に基づいて、以上の実施例に対して行う簡単な修正、均等変化及び修飾は、いずれも本発明案の範囲内に属する。
【図１】
2021515636.tif 000003
【図２】
2021515636.tif 000004
【図３】
2021515636.tif 000005
【図４】
2021515636.tif 000006
【図５】
2021515636.tif 000007
【図６】
2021515636.tif 000008
【図７】
2021515636.tif 000009
【図８】
2021515636.tif 000010
【図９】
2021515636.tif 000011
【図１０】
2021515636.tif 000012
【図１１】
2021515636.tif 000013
【図１２】
2021515636.tif 000014
【図１３】
2021515636.tif 000015
【図１４】
2021515636.tif 000016
【図１５】
2021515636.tif 000017
【国際調査報告】
2021515636.tif 000018
2021515636.tif 000019
2021515636.tif 000020
2021515636.tif 000021